(57)【特許請求の範囲】
【請求項１】
吊下用電線に吊下げられる照明器具であって、
前記吊下用電線に装着されるセード保持部材と、
前記吊下用電線、及びセード保持部材が挿通する取付孔を設けたセードと、
該セード保持部材に着脱自在に係止されるとともに、前記セードの内側であって前記取付孔の周縁に当接する当接部によって前記セードを保持するソケット保持部材と、
該ソケット保持部材に保持されるランプソケットと、
メス部とオス部とから構成されて、前記メス部と前記オス部とを着脱することにより、前記吊下用電線と前記ランプソケットとの接続を電気的に接離自在とし、前記取付孔を通過可能な接続部と、
を備えたことを特徴とする照明器具。
【請求項２】
前記ソケット保持部材の当接部は、
前記セード保持部材が挿通可能な挿通部と、
該挿通部の縁に形成され、前記挿通部の開口より小さく、且つ前記吊下用電線の幅より大きく開口する切欠部と、
を有することを特徴とする請求項１に記載の照明器具。
【請求項３】
前記セード保持部材は、前記当接部に回り止め係止させる、
ことを特徴とする請求項１又は２のいずれか１項に記載の照明器具。
【請求項４】
前記セードの外側であって前記取付孔の周縁に当接する固定部材を備え、
該固定部材は、前記セード保持部材に装着される、
ことを特徴とする請求項１から請求項３のいずれか１項に記載の照明器具。
【発明の詳細な説明】
【技術分野】
【０００１】
本発明は吊り下げ形式の照明器具の技術に関する。
【背景技術】
【０００２】
従来の吊り下げ形式の照明器具において、吊り下げ用電線を天井に吊り下げた状態でセードの交換を行うことのできる照明器具が知られている。
【０００３】
例えば、上部に突設したパイプからコードを引き出したランプソケットと、パイプに嵌め合わす孔から外端に向かいパイプが通過できなくコードが通過できる切欠部を形成したセード係止板と、ランプソケットの外径より大きい孔の孔縁をセード係止板上に横方向の位置決め手段をもって係止したセードとを備えた照明器具が発明されている（例えば、特許文献１参照）。
【０００４】
また、セードの上部に係止孔と挿入孔を連続して設け、係止孔と挿入孔の連続部に突起を設け、セードの挿入孔にコードを有するソケットを挿入し、コードを係止孔に挿入し、ソケットによりセードを係止する構成である照明器具が発明されている（例えば、特許文献２参照）。
【特許文献１】特開昭６１−６６３０２号公報
【特許文献２】実公昭４３−３８７６号公報
【発明の開示】
【発明が解決しようとする課題】
【０００５】
しかしながら、上記従来の照明器具においては、ランプソケットがセードの孔を通過できるように、セードの上部にはランプソケットの径より大きい径の孔を設けなければならない。このため、セード上部の意匠性の障害となり、セードの意匠創作に制限を強いるという問題点があった。また、セードの交換作業時に、セードの孔からコードを接続したままのランプソケットを分離しなくてはならないため、セードの交換作業が煩雑になるという問題点があった。
【０００６】
本発明は、前記課題を解消するためになされたものであり、セードの意匠創作を自由に行うことができ、また、セード交換が不慣れなユーザであっても、吊下用電線を接続したままセードの交換を容易に行うことが可能な照明器具を提供することを目的とする。
【課題を解決するための手段】
【０００７】
本発明の解決しようとする課題は以上の如くであり、次にこの課題を解決するための手段を説明する。
【０００８】
即ち、第１の発明に係る照明器具は、
吊下用電線に吊下げられる照明器具であって、
前記吊下用電線に装着されるセード保持部材と、
前記吊下用電線、及びセード保持部材が挿通する取付孔を設けたセードと、
該セード保持部材に着脱自在に係止されるとともに、前記セードの内側であって前記取付孔の周縁に当接する当接部によって前記セードを保持するソケット保持部材と、
該ソケット保持部材に保持されるランプソケットと、
メス部とオス部とから構成されて、前記メス部と前記オス部とを着脱することにより、前記吊下用電線と前記ランプソケットとの接続を電気的に接離自在とし、前記取付孔を通過可能な接続部と、
を備えたものである。
【０００９】
第２の発明に係る照明器具は、第１の発明に係る照明器具において、
前記ソケット保持部材の当接部は、
前記セード保持部材が挿通可能な挿通部と、
該挿通部の縁に形成され、前記挿通部の開口より小さく、且つ前記吊下用電線の幅より大きく開口する切欠部と、
を有するものである。
【００１０】
第３の発明に係る照明器具は、第１又は第２のいずれかの発明に係る照明器具において、
前記セード保持部材は、前記当接部に回り止め係止させるものである。
【００１１】
第４の発明に係る照明器具は、第１から第３の発明に係る照明器具において、
前記セードの外側であって前記取付孔の周縁に当接する固定部材を備え、
該固定部材は、前記セード保持部材に装着されるものである。
【発明の効果】
【００１２】
本発明の効果として、以下に示すような効果を奏する。
【００１３】
第１の発明に係る照明器具においては、吊下用電線に装着されるセード保持部材と、吊下用電線、及びセード保持部材が挿通する取付孔を設けたセードと、セード保持部材に着脱自在に係止されるとともに、セードの内側であって取付孔の周縁に当接する当接部によって前記セードを保持するソケット保持部材と、を備えることから、ソケット保持部材がセード保持部材に係止されている状態では、ソケット保持部材はセードの取付孔を通過せずセードの内側であって取付孔の周縁に当接し、セードを保持する。また、ソケット保持部材とセード保持部材との係止を解除すると、ソケット保持部材はセード保持部材を装着する吊下用電線と切れ離され、セード保持部材は取付孔を通過可能となるため、セードが吊下用電線から容易に外れる。これらのことから、セードの交換作業時に、吊下用電線を接続したままのランプソケットをセードの取付孔から分離するといった煩雑な作業をすることはなく、セードの交換を簡単に行うことができる。また、第１の発明に係る照明器具においては、ソケット保持部材がセード保持部材との係止を解除し、メス部とオス部とから構成される接続部の接続を解除することで、ランプソケットを保持するソケット保持部材が吊下用電線から外れることから、ランプソケットをセードの取付孔に挿通させることなく、セードを交換することができる。そのため、セードの取付孔の径をランプソケットの径より大きく設ける必要がなく、セードの意匠創作をより自由に行うことができる。
【００１４】
第２の発明に係る照明器具においては、ソケット保持部材の当接部は、セード保持部材が挿通可能な挿通部と、挿通部の縁に形成され、挿通部の開口より小さく、且つ吊下用電線の幅より大きく開口する切欠部とを有するから、ソケット保持部材をセード保持部材に係止する際には、セード保持部材が照明器具の側方に外れることが無いため、セードと、ソケット保持部材と、をさらに確実に固定することができる。また、ソケット保持部材をセード保持部材の係止から解除する際には、吊下用電線が切欠部を通過可能となるため、ソケット保持部材を吊下用電線に対して容易に着脱することができる。
【００１５】
第３の発明に係る照明器具においては、セード保持部材は、当接部に回り止め係止させることから、セード保持部材とソケット保持部材とが回転することなく固定することができる。そのため、ソケット保持部材に保持されたソケットと、セード保持部材に装着された吊下用電線とを確実に固定することができる。
【００１６】
第４の発明に係る照明器具においては、セードの外側であって取付孔の周縁に当接する固定部材を備え、固定部材はセード保持部材に装着されることから、セードの外側の固定部材とセードの内側のソケット保持部材とがセードを挟着するため、セードと、ソケット保持部材とを確実に固定することができる。
【発明を実施するための最良の形態】
【００１７】
本発明の照明器具１００の第１実施例について、図面を用いて説明する。図１は、照明器具１００の概略図、図２は、セード保持部材１０近傍の拡大断面図、図３（ａ）は、セード保持ボルト１１の平面図、図３（ｂ）は、セード保持ボルト１１の断面図（図３（ａ）のＡ−Ａ断面図）、図４は、ソケット保持部材３０、ランプソケット４５の斜視図、図５（ａ）は、ソケット保持部材３０の平面図、図５（ｂ）は、ソケット保持部材３０の断面図（図５（ａ）のＢ−Ｂ断面図）、図６は、照明器具１００の各部を分離した際の概略図である。
【００１８】
図１に示すように、照明器具１００は、吊り下げ形式の照明器具である。照明器具１００は、セード保持部材１０と、セード２０と、ソケット保持部材３０と、固定部材４０と、ランプソケット４５と、接続部５０と、吊下用電線６０と、ランプ７０と、から構成されている。
【００１９】
セード保持部材１０は、吊下用電線６０に装着される。セード保持部材１０は、セード２０の上部に設けられ、セード２０を保持する。図２に示すように、セード保持部材１０は、セード保持ボルト１１と、セード保持ナット１２と、から構成されている。
【００２０】
図２、及び図３に示すように、セード保持ボルト１１は、ネジ部１１ａと、頭部１１ｂと、から構成されている。ネジ部１１ａは、吊下用電線６０が挿通可能な筒状の部材であり、雄ネジが形成されている。ネジ部１１ａの内径は、吊下用電線６０の幅より若干大きく設けられている。ネジ部１１ａの外壁面には雄ネジが切られており、セード保持ナット１２が装着可能となっている。頭部１１ｂは、ネジ部１１ａに螺着されている。頭部１１ｂは、ネジ部１１ａに螺着されることで、ネジ部１１ａに対して側方に突出するため、当該突出する部分に、後述するソケット保持部材３０が係止可能となる。
【００２１】
図２に示すように、セード保持ナット１２は、セード保持ボルト１１のネジ部１１ａに螺着される。セード保持ナット１２には、吊下用電線６０が挿通される。
【００２２】
図１に示すように、セード２０は、ソケット保持部材３０と、ランプソケット４５と、接続部５０と、ランプ７０とを覆うように設けられている。図１、及び図２に示すように、セード２０は上部に取付孔２１を有する。
【００２３】
取付孔２１は、セード保持部材１０、接続部５０、及び吊下用電線６０が挿通可能である。取付孔２１は、セード保持部材１０のネジ部１１ａ、及び接続部５０より径の大きい開口部を有する。図２に示すように、セード２０の内側（セード２０の上部内壁面）であって取付孔２１の周縁にソケット保持部材３０が当接する。また、セード２０の外側（セード２０の上部外壁面）であって取付孔２１の周縁に固定部材４０が当接する。取付孔２１の周縁にソケット保持部材３０と固定部材４０が当接することにより、セード保持部材１０のセード保持ボルト１１を取付孔２１に挿通し、セード保持ナット１２をセード保持ボルト１１に螺着することで、セード２０と、ソケット保持部材３０とが確実に固定される。
【００２４】
図１に示すように、ソケット保持部材３０は、セード２０の内部に設けられ、セード保持部材１０に着脱自在に係止される。図４、及び図５に示すように、ソケット保持部材３０は、当接部３１と、当接部３１と平行に設けられランプソケット４５を支持する支持部３２と、当接部３１と支持部３２とを接合する接合部３３と、から構成される略コ字状の部材である。
【００２５】
図１及び図２に示すように、当接部３１は、セード２０の内側（セード２０の上部内壁面）であって、取付孔２１の周縁に当接する。当接部３１は、取付孔２１の径より大きな幅を有する。これにより、ソケット保持部材３０が、取付孔２１を通過することなく、セード２０の上部内壁面に当接する。図５（ａ）に示すように、当接部３１は、挿通部３１Ａと、切欠部３１Ｂと、を具備する。
【００２６】
挿通部３１Ａは、当接部３１の中心部に設けられている。挿通部３１Ａの径は、セード保持ボルト１１のネジ部１１ａの外径より若干大きく、且つセード保持ボルト１１の頭部１１ｂの幅より小さく設けられている。これにより、ネジ部１１ａが当接部３１を挿通可能であるとともに、当接部３１が頭部１１ｂに係止される。
【００２７】
切欠部３１Ｂは、挿通部３１Ａの縁に設けられている。切欠部３１Ｂの開口幅は、挿通部３１Ａの開口より小さく、且つ吊下用電線６０の幅より大きく設けられている。これにより、ソケット保持部材３０がセード保持部材１０に係止されている状態では、セード保持部材１０のセード保持ボルト１１が照明器具１００の側方に外れることが無く、セード保持部材１０にソケット保持部材３０を確実に固定できる。そして、ソケット保持部材３０とセード保持部材１０との係止を解除すると、吊下用電線６０が切欠部３１Ｂを通過可能となるため、ソケット保持部材３０を吊下用電線６０に対して容易に着脱することができる。
【００２８】
図２に示すように、固定部材４０は、セード２０の外側（セード２０の上部外壁面）であって、取付孔２１の周縁に当接する。固定部材４０は、セード保持ボルト１１、及び吊下用電線６０が挿通可能な孔部１５ａを有する。固定部材４０の外径は、セード２０の取付孔２１の径より大きく設けられている。
【００２９】
図４に示すように、ランプソケット４５は、ソケット保持部材３０の支持部３２に当接して設けられている。図６に示すように、ランプソケット４５の上部には、接続部５０が接続されている。
【００３０】
図１に示すように、接続部５０は、メス部５１と、オス部５２と、から構成されている。メス部５１は、配線５３、５３を介して、ランプソケット４５に接続されている。オス部５２は、吊下用電線６０の電線６２、６２と接続されている。メス部５１、及びオス部５２を着脱することにより、ランプソケット４５と、吊下用電線６０とが電気的に接離自在に接続される。
【００３１】
図１、及び図２に示すように、吊下用電線６０は、セード保持ボルト１１を介して、セード２０の取付孔２１に挿通される。図６に示すように、吊下用電線６０は、電線保護部６１と、電線保護部６１に覆われた電線６２、６２とから構成されている。吊下用電線６０は、端部に接続部５０のオス部５２が接続されている。吊下用電線６０は、接続部５０側端部に、係止部６３を有する。係止部６３は、セード保持部材１０を吊下用電線６０に装着する際に、セード保持ボルト１１の頭部１１ｂと当接することにより、セード保持部材１０の位置決めを行う。また、係止部６３は、ソケット保持部材３０の当接部３１がセード保持ボルト１１の頭部１１ｂに係止された際、吊下用電線６０にかかる力を緩和する機能を有する。
図１に示すように、ランプ７０は、ランプソケット４５に装着される。
【００３２】
次に、照明器具１００の各構成の配置について説明する。
図６に示すように、照明器具１００は、上方（図６の上方向）から順に、セード保持ナット１２、固定部材４０、セード２０、及びセード保持ボルト１１が、吊下用電線６０に挿通されている。照明器具１００は、ソケット保持部材３０の当接部３１が、セード保持ボルト１１の頭部１１ｂに係止される。セード保持ボルト１１が取付孔２１に挿通され、固定部材４０がセード保持ボルト１１に装着され、セード保持ナット１２がセード保持ボルト１１に螺着され、ソケット保持部材３０の当接部３１がセード保持ボルト１１の頭部１１ｂに係止されることにより、ランプソケット４５がソケット保持部材３０を介して吊下用電線６０と物理的に接続される。また、接続部５０のメス部５１とオス部５２が接続されることにより、ランプソケット４５が、吊下用電線６０と電気的に接続される。
【００３３】
照明器具１００は、ソケット保持部材３０の当接部３１をセード保持ボルト１１の頭部１１ｂに係止し、セード２０の取付孔２１へ挿通したセード保持ボルト１１のネジ部１１ａに、固定部材４０を装着し、セード保持ナット１２を螺着することにより、セード２０と、ソケット保持部材３０と、が確実に固定される。これは、セード保持ナット１２を装着した際に、セード２０が、固定部材４０、及び当接部３１により挟着されるからである。
【００３４】
次に、吊下用電線６０が天井等に吊下げられている場合のセード２０の交換作業について、図６に基づいて説明する。
まず、セード保持ナット１２をセード保持ボルト１１から脱離する。これにより、セード２０と、ソケット保持部材３０との固定が解除される。この時、セード２０がソケット保持部材３０の当接部３１に当接するため、セード２０を下方（図６下方向）から脱離することはできない。
【００３５】
セード２０、及びソケット保持部材３０を上方（図６上方向）に引き上げる。ソケット保持部材３０を引き上げることにより、当接部３１がセード保持ボルト１１のネジ部１１ａから脱離する。この時、当接部３１の挿通部３１Ａ（図５）には、吊下用電線６０が挿通された状態となる。
【００３６】
ソケット保持部材３０を照明器具１００の側方（図６矢印２５方向）に移動させる。この時、当接部３１の挿通部３１Ａ（図５）に挿通されていた吊下用電線６０が、当接部３１の切欠部３１Ｂ（図５）から外れる。これにより、ソケット保持部材３０が吊下用電線６０から脱離される。
【００３７】
ソケット保持部材３０が吊下用電線６０から脱離されることで、セード２０がソケット保持部材３０の当接部３１と当接しなくなる。従って、セード２０を下方（図６下方向）へ降ろすことにより、セード２０が吊下用電線６０から脱離し、セード２０が交換可能となる。なお、セード２０を装着する際には、上記操作の逆の操作を行えばよい。
【００３８】
以上のように、照明器具１００においては、吊下用電線６０に装着されるセード保持部材１０と、吊下用電線６０、及びセード保持部材１０が挿通する取付孔２１を設けたセード２０と、セード保持部材１０に着脱自在に係止されるとともに、セード２０の内側であって取付孔２１の周縁に当接するソケット保持部材３０と、を備えることから、ソケット保持部材３０がセード保持部材１０に係止されている状態では、ソケット保持部材３０はセード２０の取付孔２１を通過せずセード２０の内側であって取付孔２１の周縁に当接し、セード２０を保持する。また、ソケット保持部材３０とセード保持部材１０との係止を解除すると、ソケット保持部材３０は、セード保持部材１０を装着する吊下用電線６０と切れ離されるため、セード２０が吊下用電線６０から容易に外れる。これらのことから、セード２０の交換作業時に、吊下用電線６０を接続したままのランプソケット４５をセード２０の取付孔２１から分離するといった煩雑な作業をすることはなく、セード２０の交換を簡単に行うことができる。
【００３９】
また、照明器具１００においては、ソケット保持部材３０がセード保持部材１０との係止を解除し、メス部５１とオス部５２とから構成される接続部５０の接続を解除することで、ランプソケット４５を保持するソケット保持部材３０が吊下用電線６０から外れることから、ランプソケット４５をセード２０の取付孔２１に挿通させることなく、セード２０を交換することができる。そのため、セード２０の取付孔２１の径をランプソケット４５の径より大きく設ける必要がなく、セード２０の意匠創作をより自由に行うことができる。
【００４０】
さらに、照明器具１００においては、セード２０の外側であって取付孔２１の周縁に当接する固定部材４０を備え、固定部材４０は、セード保持部材１０に装着されることから、セード２０の外側の固定部材４０とセード２０の内側のソケット保持部材３０の当接部３１とが、セード２０を挟着するため、セード２０と、ソケット保持部材３０とを確実に固定することができる。
【００４１】
さらにまた、照明器具１００においては、ソケット保持部材３０は、セード２０の内側であって取付孔２１の周縁に当接する当接部３１を具備し、当接部３１は、セード保持部材１０が挿通可能な挿通部３１Ａと、挿通部３１Ａの縁に形成され、挿通部３１Ａの開口より小さく、且つ吊下用電線６０の幅より大きく開口する切欠部３１Ｂと、を有するから、ソケット保持部材３０をセード保持部材１０に係止する際には、セード保持部材１０が照明器具１００の側方に外れることが無いため、セード２０と、ソケット保持部材３０とをさらに確実に固定することができる。また、ソケット保持部材３０をセード保持部材１０の係止から解除する際には、吊下用電線６０が切欠部３１Ｂを通過可能となるため、ソケット保持部材３０を吊下用電線６０に対して容易に着脱することができる。
【００４２】
次に、本発明の照明器具１００の第２実施例について、図面を用いて説明する。図７は、セード保持部材１０近傍の拡大断面図、図８（ａ）は、セード保持ボルト１１の平面図、図８（ｂ）は、セード保持ボルト１１の断面図（図８（ａ）のＣ−Ｃ断面図）、図９（ａ）は、ソケット保持部材３０の平面図、図９（ｂ）は、ソケット保持部材３０の断面図（図９（ａ）のＤ−Ｄ断面図）である。なお、第２実施例に係る照明器具１００は、セード保持部材１０、及びソケット保持部材３０以外の構成については、第１実施例に係る照明器具１００の当該構成と同様であるため説明を省略する。
【００４３】
セード保持部材１０は、吊下用電線６０に装着される。セード保持部材１０は、セード２０の上部に設けられ、セード２０を保持する。図７に示すように、セード保持部材１０は、セード保持ボルト１１と、セード保持ナット１２と、から構成されている。
【００４４】
図７、及び図８に示すように、セード保持ボルト１１は、ネジ部１１ｃと、頭部１１ｄと、から構成されている。ネジ部１１ｃは、吊下用電線６０が挿通可能な筒状の部材である。ネジ部１１ｃの内径は、吊下用電線６０の幅より若干大きく設けられている。ネジ部１１ｃは、雄ネジ部１１ｅと、回止部１１ｆとを有する。
【００４５】
雄ネジ部１１ｅは、ネジ部１１ｃの外壁面に設けられ、セード保持ナット１２が装着可能となっている。回止部１１ｆは、ネジ部１１ｃの外壁面に設けられ、後述するソケット保持部材３０の回止係止部３１Ｃの幅より若干小さい幅となるように径方向に切り落とされている。回止部１１ｆは、ソケット保持部材３０がセード保持部材１０に係止される際に、回止係止部３１Ｃと当接する。
【００４６】
頭部１１ｄは、ネジ部１１ｃに螺着されている。頭部１１ｄは、ネジ部１１ｃに螺着されることで、ネジ部１１ｃに対して側方に突出するため、当該突出する部分に、ソケット保持部材３０が係止可能となる。
【００４７】
図７に示すように、セード保持ナット１２は、セード保持ボルト１１のネジ部１１ｃに螺着される。セード保持ナット１２には、吊下用電線６０が挿通される。
【００４８】
図９に示すように、ソケット保持部材３０は、当接部３１と、当接部３１と平行に設けられランプソケット４５を支持する支持部３２と、当接部３１と支持部３２とを接合する接合部３３と、から構成される略コ字状の部材である。
【００４９】
図７に示すように、当接部３１は、セード２０の内側（セード２０の上部内壁面）であって、取付孔２１の周縁に当接する。当接部３１は、取付孔２１の径より大きな幅を有する。これにより、ソケット保持部材３０が、取付孔２１を通過することなく、セード２０の上部内壁面に当接する。図９（ａ）に示すように、当接部３１は、挿通部３１Ａと、切欠部３１Ｂと、回止係止部３１Ｃを具備する。
【００５０】
挿通部３１Ａは、当接部３１の中心部に設けられている。挿通部３１Ａの径は、セード保持ボルト１１のネジ部１１ｃの外径より若干大きく、且つセード保持ボルト１１の頭部１１ｄの幅より小さく設けられている。これにより、ネジ部１１ｃが当接部３１を挿通可能であるとともに、当接部３１が頭部１１ｄに係止される。
【００５１】
切欠部３１Ｂは、挿通部３１Ａの縁に設けられている。切欠部３１Ｂの開口幅は、挿通部３１Ａの開口より小さく、且つ吊下用電線６０の幅より大きく設けられている。これにより、ソケット保持部材３０がセード保持部材１０に係止されている状態では、セード保持部材１０のセード保持ボルト１１が照明器具１００の側方に外れることが無く、セード保持部材１０にソケット保持部材３０を確実に固定できる。そして、ソケット保持部材３０とセード保持部材１０との係止を解除すると、吊下用電線６０が切欠部３１Ｂを通過可能となるため、ソケット保持部材３０を吊下用電線６０に対して容易に着脱することができる。
【００５２】
回止係止部３１Ｃは、挿通部３１Ａの縁であって、切欠部３１Ｂと対向する側に設けられている。回止係止部３１Ｃは、ネジ部１１ｃの回止部１１ｆの幅より若干大きい幅となるように設けられている。回止係止部３１Ｃは、ソケット保持部材３０がセード保持部材１０に係止される際、すなわち、当接部３１がセード２０の取付孔２１の周縁に当接する際に、回止部１１ｆと当接する。これにより、セード保持部材１０が当接部３１に回り止め係止される。従って、ソケット保持部材３０がセード保持部材１０を軸として回動することを防止できる。
【００５３】
次に、本発明の照明器具１００の第３実施例について、図面を用いて説明する。図１０は、セード保持部材１０近傍の拡大断面図、図１１（ａ）は、セード保持ボルト１１の平面図、図１１（ｂ）は、セード保持ボルト１１の断面図（図１１（ａ）のＥ−Ｅ断面図）である。なお、第３実施例に係る照明器具１００は、セード保持部材１０以外の構成については、第１実施例に係る照明器具１００の当該構成と同様であるため説明を省略する
【００５４】
セード保持部材１０は、吊下用電線６０に装着される。セード保持部材１０は、セード２０の上部に設けられ、セード２０を保持する。図１０に示すように、セード保持部材１０は、セード保持ボルト１１と、セード保持ナット１２と、から構成されている。
【００５５】
図１０、及び図１１に示すように、セード保持ボルト１１は、ネジ部１１ｇと、頭部１１ｈと、から構成されている。ネジ部１１ｇは、吊下用電線６０が挿通可能な筒状の部材である。ネジ部１１ｇの内径は、吊下用電線６０の幅より若干大きく設けられている。ネジ部１１ｇは、雄ネジ部１１ｊと、突出部１１ｋとを有する。
【００５６】
雄ネジ部１１ｊは、ネジ部１１ｇの外壁面に設けられ、セード保持ナット１２が装着可能となっている。突出部１１ｋは、ネジ部１１ｇの下部の外壁面から突出して設けられている。突出部１１ｋは、当接部３１の切欠部３１Ｂの幅より若干小さい幅を有する。突出部１１ｋは、当接部３１の厚みより大きい厚みを有する。突出部１１ｋは、ソケット保持部材３０がセード保持部材１０に係止される際、当接部３１がセード２０の取付孔２１の周縁に当接する際に、当接部３１の切欠部３１Ｂに嵌り込む。これにより、セード保持部材１０が当接部３１に回り止め係止される。従って、ソケット保持部材３０がセード保持部材１０を軸として回動することを防止できる。
【００５７】
頭部１１ｈは、ネジ部１１ｇに螺着されている。頭部１１ｈは、ネジ部１１ｇに螺着されることで、ネジ部１１ｇに対して側方に突出するため、当該突出する部分に、ソケット保持部材３０が係止可能となる。
【００５８】
図１０に示すように、セード保持ナット１２は、セード保持ボルト１１のネジ部１１ｇに螺着される。セード保持ナット１２は、吊下用電線６０が挿通される。
【００５９】
以上説明した本発明の技術的範囲は、上記の実施例に限定されるものではなく、上記実施例の形状に限定されない。本発明の技術的範囲は、本明細書及び図面に記載した事項から明らかになる本発明が真に意図する技術的思想の範囲全体に、広く及ぶものである。
【図面の簡単な説明】
【００６０】
【図１】照明器具１００の概略図。
【図２】セード保持部材１０近傍の拡大断面図。
【図３】（ａ）はセード保持ボルト１１の平面図、（ｂ）は（ａ）におけるＡ−Ａ矢視断面図。
【図４】ソケット保持部材３０、ランプソケット４５の斜視図。
【図５】（ａ）はソケット保持部材３０の平面図、（ｂ）は（ａ）におけるＢ−Ｂ矢視断面図。
【図６】照明器具１００の各部を分離した際の概略図。
【図７】第２実施例に係る照明器具１００のセード保持部材１０近傍の拡大断面図。
【図８】（ａ）は第２実施例に係る照明器具１００のセード保持ボルト１１の平面図、（ｂ）は（ａ）におけるＣ−Ｃ矢視断面図。
【図９】（ａ）は第２実施例に係る照明器具１００のソケット保持部材３０の平面図、（ｂ）は（ａ）におけるＤ−Ｄ矢視断面図。
【図１０】第３実施例に係る照明器具１００のセード保持部材１０近傍の拡大断面図。
【図１１】（ａ）は第３実施例に係る照明器具１００のセード保持ボルト１１の平面図、（ｂ）は（ａ）におけるＥ−Ｅ矢視断面図。
【符号の説明】
【００６１】
１０      セード保持部材
２０      セード
２１      取付孔
３０      ソケット保持部材
３１Ａ    挿通部
３１Ｂ    切欠部
４０      固定部材
４５      ランプソケット
５０      接続部
６０      吊下用電線
１００    照明器具
【図１】
0005028295.tif 000002
【図２】
0005028295.tif 000003
【図３】
0005028295.tif 000004
【図４】
0005028295.tif 000005
【図５】
0005028295.tif 000006
【図６】
0005028295.tif 000007
【図７】
0005028295.tif 000008
【図８】
0005028295.tif 000009
【図９】
0005028295.tif 000010
【図１０】
0005028295.tif 000011
【図１１】
0005028295.tif 000012